(57)【要約】【課題】パネル状の外観でありながら運搬や取り付け作業がしやすい先行手すりを提供すること。【解決手段】建築用の足場において使用される上層階における足場構築の作業の際の安全確保のための補助をなす先行手すりにおいて、支柱側の第１の連結枠５５に係合させるための左右一対の縦フレーム１０Ａ，１０Ｂの上下位置に第１及び第２の係合片１３，２１を形成する。両縦フレーム１０Ａ，１０Ｂに対して両端寄りの回り対偶としてのピン３７，３８によって上下一対の横架フレーム１１Ａ，１１Ｂを連結する。両横架フレーム１１Ａ，１１Ｂは外筒３１と同外筒３１内に嵌挿された内筒３２とによって構成されピン３７，３８間における同両横架フレーム１１Ａ，１１Ｂの全長が伸縮可能とされている。そして、支柱側の第１及び第２の連結枠に第１及び第２の係合片１３，２１係合させるようにする。【選択図】        図１
2005113434.tif 000002
【特許請求の範囲】
【請求項１】
支柱、踏み板及び梁部材等の足場構成部材によって建築物周囲に構築され水平に設置された同踏み板によって複層階の作業用通路が形成される建築用の足場において使用され、同足場における既設の下層階から隣接する上層階の支柱に対して作業者が装着することで同上層階における足場構築の作業の際の安全確保のための補助をなす先行手すりであって、同先行手すりは、
左右一対の縦フレームと、
前記支柱側の第１の連結枠に係合させるための同両縦フレームにそれぞれ形成された第１の係合片と、
前記第１の連結枠よりも下方位置の支柱側の第２の連結枠に係合させるための前記第１の係合片よりも下方位置の前記両縦フレームに形成された第２の係合片と、
前記両縦フレームに対して両端寄りの回り対偶によって連結された上下一対の横架フレームとを備え、
前記両横架フレームは外筒と同外筒内に嵌挿された内筒とによって構成され前記回り対偶間における同両横架フレームの全長が伸縮可能とされていることを特徴とする先行手すり。
【請求項２】
少なくとも一方の前記第２の係合片には同第２の係合片が前記支柱側の第２の連結枠に係合させられた状態で同第２の連結枠から抜け出さないようなロック手段が併設されていることを特徴とする請求項１に記載の先行手すり。
【請求項３】
前記回り対偶を回動基部として前記両縦フレームの下端が互いに対向する方向に略直線状となるまで折り畳んだ際に、折り畳みに伴って伸長させられた前記両横架フレームは前記内筒が前記外筒から脱落せずに嵌挿状態にあることを特徴とする請求項１又は２に記載の先行手すり。
【請求項４】
前記両縦フレームには前記第２の係合片位置から下方に向かって延出された延出部が形成されていることを特徴とする請求項１〜３のいずれかに記載の先行手すり。
【発明の詳細な説明】
【技術分野】
【０００１】
本発明は足場構築の作業の際の安全確保のための補助をなす先行手すりに関するものである。
【背景技術】
【０００２】
足場の組み立ては下層から順に行われていく。この際に作業者自身が足場を拡張しようとしている上層階に先に昇って組み立て作業を行うならば未だ十分な確保手段、例えば手すりや梁が取り付けられていないため墜落のおそれがあって危険である。
そのため、作業者は安全が確保された下層階に立地し、手を上に延ばして先行手すりを上層階にセットするようにしている。先行手すりを上層階にセットした後に作業者は上層階に昇りこの先行手すりを確保手段として上層階で通常の足場を構築する。そしてその階の足場が組み上がったら先行手すりを取り外して順次上層階にセットしていくようにしている。
このような先行手すりの例として特許文献１に開示されたものがある。特許文献１の先行手すり（以下、従来の先行手すりとする）では従来のパネル状先行手すりが嵩張って持ちにくく作業員による搬送作業も取り付け作業も面倒であるということからこれを改良したものであった。具体的には従来の先行手すりでは２本の縦フレーム（建地材５）と縦フレームの上端に回動自在に軸着した１本の横架フレーム（手摺本体６）によって全体形状を略コ字状に形成することで折り畳んで運搬したり取り付け作業時に軸部を中心に変形させられるので取り扱い易いというメリットがあるものである。
【特許文献１】特開２００２−２９５００３号公報
【発明の開示】
【発明が解決しようとする課題】
【０００３】
しかし、上記従来の先行手すりのように略コ字状に形成すると、取り扱い易い反面あまりに形状がシンプルすぎて確保手段としては必ずしも十分ではなかった。例えば横架フレームをちょうど作業者が把持しやすい場所に来るように設定すると、足元が大きく空いてしまい踏み板上で転倒した場合に横架フレームの下から転げ落ちてしまう可能性がある。といって作業者が把持するには低い位置に横架フレームを下げると今度は横架フレームを乗り越えて転げ落ちてしまう可能性がある。従って、従来のパネル状先行手すりのように横架フレームが複数あることが好ましいわけである。更に、強度の点でも１本だけの横架フレームは特に曲げやねじり等の応力に弱く変形しやすかった。
本発明は、このような従来の技術に存在する問題点に着目してなされたものである。その目的とするところは、パネル状の外観でありながら運搬や取り付け作業がしやすい先行手すりを提供することにある。
【課題を解決するための手段】
【０００４】
上記の目的を達成するために請求項１に記載の発明では、支柱、踏み板及び梁部材等の足場構成部材によって建築物周囲に構築され水平に設置された同踏み板によって複層階の作業用通路が形成される建築用の足場において使用され、同足場における既設の下層階から隣接する上層階の支柱に対して作業者が装着することで同上層階における足場構築の作業の際の安全確保のための補助をなす先行手すりであって、同先行手すりは、左右一対の縦フレームと、前記支柱側の第１の連結枠に係合させるための同両縦フレームにそれぞれ形成された第１の係合片と、前記第１の連結枠よりも下方位置の支柱側の第２の連結枠に係合させるための前記第１の係合片よりも下方位置の前記両縦フレームに形成された第２の係合片と、前記両縦フレームに対して両端寄りの回り対偶によって連結された上下一対の横架フレームとを備え、前記両横架フレームは外筒と同外筒内に嵌挿された内筒とによって構成され前記回り対偶間における同両横架フレームの全長が伸縮可能とされていることをその要旨とする。
また、請求項２の発明では請求項１に記載の発明の構成に加え、少なくとも一方の前記第２の係合片には同第２の係合片が前記支柱側の第２の連結枠に係合させられた状態で同第２の連結枠から抜け出さないようなロック手段が併設されていることをその要旨とする。
また、請求項３の発明では請求項１又は２に記載の発明の構成に加え、前記回り対偶を回動基部として前記両縦フレームの下端が互いに対向する方向に略直線状となるまで折り畳んだ際に、折り畳みに伴って伸長させられた前記両横架フレームは前記内筒が前記外筒から脱落せずに嵌挿状態にあることをその要旨とする。
また、請求項４の発明では請求項１〜３のいずれかに記載の発明の構成に加え、前記両縦フレームには前記第２の係合片位置から下方に向かって延出された延出部が形成されていることをその要旨とする。
【０００５】
このような構成の先行手すりは下層階に立地した作業者がこれを把持して上層階の左右の支柱に対してセットすることとなる。作業者は左右の縦フレームを同時に持ち上げなくともいずれか一方の縦フレームのみを持ち上げれば横架フレームは回り対偶を基部として回動して自重で斜めに下がった状態、つまり持ち上げた縦フレームに吊り下げられた状態となるため作業者は縦フレームをいずれか一方の支柱に沿って垂直方向に容易に押し上げることができる。そして、持ち上げた縦フレームの第１の係合片をその支柱の第１の連結枠に係合させるとともに、縦フレームの第２の係合片を支柱の第２の連結枠に係合させる。次いで両横架フレームの外筒と内筒とを相対的にスライドさせて左右の支柱の長さに合わせて全長を調整する。そして、反対側の縦フレームを押し上げて同様に第１の係合片を反対側の支柱の第１の連結枠に、第２の係合片を同じく第２の連結枠に係合させる。
この場合に少なくとも一方の第２の係合片には第２の連結枠に係合させられた状態で脱落しないようにロック手段が併設されていることが好ましく、特に作業者が下層階からロック手段を操作することが容易にできるようにするために第２の係合片に併設されることが好ましい。
また、先行手すりを搬送する際には回り対偶を回動基部として両縦フレームの下端が互いに対向する方向に略直線状となるように折り畳むことが可能である。その際には折り畳みに伴って両横架フレームの内筒と外筒は相対的にスライド移動して両横架フレームの全長が変化するが、特に長くなる場合でも内筒が外筒から脱落しないことが好ましい。ここに略直線状とは両縦フレームの下端が突き合わせられてまったく対向している状態のみではなく、多少ずれていたり重複している場合も含まれる概念である。
更に、下層階に立地する作業者が操作しやすいように両縦フレームには第２の係合片位置から下方に向かって延出された延出部が形成されることが好ましい、作業者はこの延出部を把持してセット作業を行うことができる。
【発明の効果】
【０００６】
上記各請求項の発明では、先行手すりが使用状態において左右一対の縦フレームと上下一対の横架フレームとによってパネル状の外形が保たれるため強度が維持される。また、回り対偶を回動基部として全体形状が変形するため縦フレームを片方ずつ支柱に取り付けることが可能となり作業効率も向上する。
【発明を実施するための最良の形態】
【０００７】
以下、本発明の先行手すりを具体化した実施の形態を図面に基づいて説明する。
図１〜図３に示すように、先行手すりは左右一対の縦フレーム１０Ａ，１０Ｂと上下一対の横架フレーム１１Ａ，１１Ｂとによって略鳥居形状のパネル状の外形が構成されている。両縦フレーム１０Ａ，１０Ｂは円筒形のパイプ材から構成されており、図４に示すように同両縦フレーム１０Ａ，１０Ｂのプレスされた上端部１０ａを挟持するように２枚の第１の連結プレート１２が固着されている。第１の連結プレート１２は縦フレーム１０Ａ，１０Ｂの延出方向に対して直交する方向、つまりＴ字形状となるように縦フレーム１０Ａ，１０Ｂ上端に固着される。第１の連結プレート１２の外端には両第１の連結プレート１２に挟持された状態で下方に向かって第１の係合片としての第１の係合フック１３が突設されている。
図１に示すように両縦フレーム１０Ａ，１０Ｂの上端からその全長の約１／３の位置において図５に示すようにプレスされ、このプレス部分１０ｂを挟持するように２枚の第２の連結プレート１５が固着されている。第２の連結プレート１５は前記第１の連結プレート１２と平行に配置され第１の連結プレート１２が外方に張り出しているのに対して内方のみに張り出している。図１に示すように両縦フレーム１０Ａ，１０Ｂの本体の上端からその全長の約２／３の位置において図６〜図７に示すように第２の係合片及びロック手段をなす連結具１７が固着されている。両縦フレーム１０Ａ，１０Ｂにおいて連結具１７から下方部分は作業者が把持する延出部としての把持部１８とされている。
【０００８】
図６〜図７に示すように、連結具１７の一部である連結具本体１９は鉤上に屈曲した２枚の同形状の板体２０より構成されている。この一対の板体２０は両縦フレーム１０Ａ，１０Ｂのプレスされたプレス部１０ｃを挟持するように固着されている。両板体２０の前端部には第２の係合片としての第２の連結フック２１が固着されている。第２の連結フック２１は両板体２０に挟持されて下方に向かって延出されている。両板体２０の屈曲された基部２０ａは方向転換して同第２の連結フック２１方向に向かって延出されている。基部２０ａの先端には当接板２３が固着されている。前記両板体２０間に形成される挿通孔２４にはくさび片２５が遊嵌されている。くさび片２５は板状に形成されており、基部側には張り出し部を有する頭部２６が形成されている。頭部２６はハンマ−等でくさび片２５を打ち込む際の打点となるとともに、この頭部２６によって連結具本体１９からの下方への脱落が防止されている。くさび片２５の先端寄りには突起２７が突設されている。そのために、くさび片２５はこの突起２７によって挿通孔２４から抜取り不能になっている。くさび片２５は先細りに形成されているため、手で押し込んだり、ハンマ−等で打ち込むと傾斜面が当接板２３と当接し、当接板２３の反力によって第２の連結フック２１方向に移動させられることとなる。
なお、本実施の形態では第１の連結プレート１２、第１の係合フック１３、第２の連結プレート１５及び連結具１７は左右の両縦フレーム１０Ａ，１０Ｂの対称位置に配設され、第１の係合フック１３及び第２の係合フック２１はそれぞれ縦フレーム１０Ａ，１０Ｂの外側に配置されることとなる。
【０００９】
図７及び図８に示すように、横架フレーム１１Ａ，１１Ｂは断面方形の外筒３１と同外筒３１に対してスライド可能に嵌挿された内筒３２から構成されている。図７に示すように外筒３１の先端上部には内筒３２の脱落防止のための係合爪３３が形成されている。外筒３１から内筒３２が繰り出された際に係合爪３３が内筒３２奥に配設されたストッパ３４と係合して内筒３２が外筒３１から脱落しないようになっている。内筒３２及び外筒３１の先端（つまり横架フレーム１１Ａ，１１Ｂの左右端）はプレスされたプレス部３５とされている。
図１に示すように、上部横架フレーム１１Ａ，１１Ｂは前記左右の第１の連結プレート１２間に内筒３２及び外筒３１のプレス部３５がそれぞれ挿入され、図４に示すようにピン３７によって回動可能に軸着されている（本実施の形態では内筒３２側のみ詳しく図示する。外筒３１側も同様にピン３７によって回動可能に軸着されている。）。下部横架フレーム１１Ａ，１１Ｂは第２の連結プレート１５間に内筒３２及び外筒３１のプレス部３５がそれぞれ挿入され、図５に示すようにピン３８によって回動可能に軸着されている（本実施の形態では内筒３２側のみ詳しく図示する。外筒３１側も同様にピン３８によって回動可能に軸着されている。）。
この結果、ピン３７，３８はリンク機構における回り対偶となり、リンクとなる縦フレーム１０Ａ，１０Ｂ及び横架フレーム１１Ａ，１１Ｂはそれぞれ対向するフレームの長さが等しいため平行クランク機構が構成されることとなる。
【００１０】
次に、このように構成された先行手すりの作用について説明する。まず、先行手すりを運搬したり収納したりする際の折り畳み方法について図１〜図３に基づいて説明する。
先行手すりは図１の左右の縦フレーム１０Ａ，１０Ｂが平行に配設された状態が基本形状つまり、先行手すりとして足場に装着されている状態である。この基本形状の状態から作業者は図２に示すようにピン３７，３８を回動中心として両縦フレーム１０Ａ，１０Ｂの下端を互いに対向する方向に折り曲げていく（折り畳んでいく）。すると両縦フレーム１０Ａ，１０Ｂは横架フレーム１１Ａ，１１Ｂによって規制されているため、その上下方向中央位置から上方側は互いに離間することとなり、下方側は互いに接近することとなる。作業者は図３に示すように両縦フレーム１０Ａ，１０Ｂが一直線状となるまで折り曲げていく。この状態が運搬あるいは収納可能な状態である。この時、上下の横架フレーム１１Ａ，１１Ｂはいずれも両縦フレーム１０Ａ，１０Ｂの中央位置よりも上側に連結されているため、両縦フレーム１０Ａ，１０Ｂの折り曲げに伴って図１の基本形状における全長から引き伸ばされていくこととなる（つまり、外筒３１内に収納されていた内筒３２部分が露出されていく）。上部横架フレーム１１Ａのほうが下部横架フレーム１１Ｂよりも上側にあるためより多く引き伸ばされることなる。
【００１１】
次に、先行手すりを建築用の足場に装着する際の取り付け手順について図９〜図１４に基づいて説明する。
作業者は先行手すりを安全が確保された場所、例えば図９の地上に立地した状態で上層階（ここでは２階）にセットする。ここでは、下層階（ここでは１階）の足場は支柱５１、梁５２、踏み板５３等によって足場が構築され、上層階は支柱５１のみが立設された状態である。
図９及び図１２に示すように、作業者は右方の縦フレーム１０Ｂの把持部１８を把持し、右方の支柱５１に沿って略垂直に上方に押し上げていく。このとき、横架フレーム１１Ａ，１１Ｂは図上右方のピン３７，３８を中心に自重で斜め下方に垂れ下がる（逆にいえば横架フレーム１１Ａ，１１Ｂが図上右方のピン３７，３８によって斜めに吊り上げられ）こととなるため縦フレーム１０Ｂを略垂直に把持する際の力学的な負担が軽減される。つまり、左方の縦フレーム１０Ａ側を持っていなくとも縦フレーム１０Ｂを略垂直に上方に押し上げることが可能となる。
図１３に示すように、第１の係合フック１３を支柱５１の第１の連結枠５５に係合させ、第２の係合フック２１を第２の連結枠５６に係合させる。尚、図１０及び図１１に示すように、第１の連結枠５５は支柱５１の所定高さ位置に配置され、第２の連結枠５６は支柱５１の第１の連結枠５５の下方の所定高さ位置に配置されている。各位置においてはそれぞれ９０度ずつ変位した４つの連結枠５５，５６が形成されている。
【００１２】
次いで、作業者は左方の縦フレーム１０Ａの把持部１８を把持し、上記と同様に縦フレーム１０Ａを左方の支柱５１に沿って略垂直に上方に押し上げ、図１４に示すように第１の係合フック１３を支柱５１の第１の連結枠５５に係合させ、第２の係合フック２１を第２の連結枠５６に係合させる。この状態で先行手すりの仮留めが完了する。ちょうど下側の横架フレーム１１Ｂは上側の横架フレーム１１Ａと踏み板５３の中間位置に配設されることとなる。この状態においても先行手すりとしての機能を果たしうるが、本実施の形態では更に第２の係合フック２１をロックしてより確実に先行手すりを定着させる。
すなわち、作業者は１階から手を延ばして図１０に示すようにくさび片２５を挿通孔２４に落とし込み、その頭部２６をハンマー等で打ち込む。すると、くさび片２５は図１１に示すように当接板２３と第１及び第２の連結枠５５，５６との間に食い込んでいき第２の係合フック２１はロックされることとなる。
次に今とは逆に、先行手すりを足場から取り外す場合には、まずハンマー等で図１１の状態におけるくさび片２５を下端部側から上方に向かって叩きロックを解除する。そして、いずれか一方の縦フレーム１０Ａ，１０Ｂの把持部１８を把持し、上記とは逆の操作で支柱５１から取り外していく。
【００１３】
このように構成することにより本実施の形態は次のような効果を奏する。
（１）セットされた先行手すりは左右の縦フレーム１０Ａ，１０Ｂと上下の横架フレーム１１Ａ，１１Ｂとによってパネル状の外形が保たれるため強度が維持される。
（２）セットされた先行手すりは上下２本の横架フレーム１１Ａ，１１Ｂを備えており、先行作業用においてこれら上側の横架フレーム１１Ａに位置は比較的高いのでその上方から外方に転落したりすることはなく、下側の横架フレーム１１Ｂがあるためやはり隙間から外方に転落することもなく、安全性がより高められる。
（３）先行手すりをセットする際に下層階にいる作業者はいずれか一方の縦フレーム１０Ａ，１０Ｂの把持部１８を把持して操作すれば一人でも容易に作業が行えるため、作業効率がアップする。
（４）先行手すりを折り畳んで長尺の棒状体の集合体とすることができるので嵩張ることがなく運搬・収納の際に便利である。
（５）先行手すりを折り畳んで長尺の棒状に集合体としたとしても、横架フレーム１１Ａ，１１Ｂの外筒３１から内筒３２が抜け落ちてしまうことがないように十分に内筒３２の長さが確保されており、作業者は内筒３２の脱落をまったく気にすることなく折り畳み作業ができるので作業効率がアップする。
（６）第２の係合フック２１をくさび片２５を打ち込むことで、よりしっかりと固定でき万一の脱落を防止することができる。
（７）連結具１７は下側の第２の係合フック２１とともに配設されているため下層階で作業する作業者の手が十分届くこととなり作業効率がアップする。
【００１４】
尚、この発明は、次のように変更して具体化することも可能である。
・連結具１７は必ずしもなくともよい。つまり上記実施の形態において上下の第１及び第２の係合フック１３，２１のみで支柱５１に掛止するようにしてもよい。
・横架フレーム１１Ａ，１１Ｂは必ずしも平行に延出される必要はない。また、３本以上の横架フレームであっても構わない。
・その他、材質は不問である、部材の接合は溶接以外の手段でもよい等本発明の趣旨を逸脱しない態様で実施することは自由である。
【００１５】
本発明の目的を達成するために上記実施の形態から把握できるその他の技術的思想について下記に付記として説明する。
（１）両縦フレームと両横架フレームは平行クランク機構を構成することを特徴とする請求項１〜４のいずれかに記載の先行手すり。
（２）上方側の前記横架フレームは前記両縦フレームの上端位置に配設されていることを特徴とする請求項１〜４若しくは付記１のいずれかに記載の先行手すり。
（３）前記横架フレームの前記内筒が前記外筒から脱落しないように脱落防止手段が形成されていることを特徴とする請求項１〜４若しくは付記１又は２のいずれかに記載の先行手すり。
（４）前記横架フレームが前記両縦フレームの上端位置に配設された状態での前記内筒を引き伸ばした最大長は少なくとも同両縦フレームの全長を足した長さと同等以上であること請求項１〜４若しくは付記１〜３のいずれかに記載の先行手すり。
（５）前記第２の係合片は前記下側の横架フレームよりも下方位置に形成されていること請求項１〜４若しくは付記１〜４のいずれかに記載の先行手すり。
【図面の簡単な説明】
【００１６】
【図１】本発明の実施の形態の先行手すりの正面図。
【図２】同じ先行手すりにおいて折り畳み途中にある正面図。
【図３】同じ先行手すりにおいて折り畳み完了後の正面図。
【図４】右側の縦フレーム上端の第１の連結プレート付近の拡大斜視図。
【図５】右側の縦フレーム途中の第２の連結プレート付近の拡大斜視図。
【図６】右側の縦フレーム途中の連結具付近の拡大斜視図。
【図７】横架フレームの一部省略部分縦断面図。
【図８】上部横架フレームの横縦断面図。
【図９】先行手すりの装着作業を説明する説明図。
【図１０】連結具におけるくさび片を打ち込む前の状態を示す部分拡大説明図。
【図１１】連結具におけるくさび片を打ち込んだ状態を示す部分拡大説明図。
【図１２】先行手すりの右側の縦フレームを支柱に導いている状態の説明図。
【図１３】先行手すりの右側の縦フレームを支柱に掛止した状態の説明図。
【図１４】先行手すりの両縦フレームを支柱に掛止した状態の説明図。
【符号の説明】
【００１７】
１０Ａ，１０Ｂ…縦フレーム、１１Ａ，１１Ｂ…横架フレーム、１３…第１の係合片としての第１の係合フック、１７…ロック手段を構成する連結具、１８…延出部、２１…第２の係合片としての第２の係合フック、３１…外筒、３２…内筒、５１…支柱、５５…第１の連結枠、５６…第２の連結枠。
【図１】
2005113434.tif 000003
【図２】
2005113434.tif 000004
【図３】
2005113434.tif 000005
【図４】
2005113434.tif 000006
【図５】
2005113434.tif 000007
【図６】
2005113434.tif 000008
【図７】
2005113434.tif 000009
【図８】
2005113434.tif 000010
【図９】
2005113434.tif 000011
【図１０】
2005113434.tif 000012
【図１１】
2005113434.tif 000013
【図１２】
2005113434.tif 000014
【図１３】
2005113434.tif 000015
【図１４】
2005113434.tif 000016